(57)【要約】【課題】メディアの表面温度を測定するときの誤差を小さくできる記録装置を提供する。【解決手段】メディア９０の処理面９１に液体を吐出する記録ヘッドと、メディア９０の処理面９１とは反対側の被支持面９２を支持する支持面２１を有する支持部１２と、支持面２１に向けて第１赤外線９５を照射するヒーター管４５と、メディア９０又は支持部１２から放射される第２赤外線９６を非接触で検出する赤外線センサー５６と、を備え、赤外線センサー５６は、支持面２１と交差する方向において、支持面２１を挟んでヒーター管４５とは反対側に配置されている。【選択図】図２
2019171716.tif 000002
【特許請求の範囲】
【請求項１】
メディアの第１面に液体を吐出する記録ヘッドと、
前記メディアの前記第１面とは反対側の第２面を支持する支持面を有する支持部と、
前記支持面に向けて第１赤外線を照射する照射部と、
前記メディア又は前記支持部から放射される第２赤外線を非接触で検出する検出部と、を備え、
前記検出部は、前記支持面と交差する方向において、前記支持面を挟んで前記照射部とは反対側に配置されていることを特徴とする記録装置。
【請求項２】
請求項１に記載の記録装置であって、
前記支持面を有する前記支持部と、前記支持面と交差する方向に沿って延びる面を有する１又は複数の側面部と、を含んで構成された箱部を備え、
前記検出部は、前記箱部に収納されていることを特徴とする記録装置。
【請求項３】
請求項１又は２に記載の記録装置であって、
前記支持面には、開口が形成され、
前記検出部は、前記開口を通じて前記第２赤外線を検出することを特徴とする記録装置。
【請求項４】
請求項３に記載の記録装置であって、
前記検出部は、前記開口を通じた前記第１赤外線の入射範囲の外に配置されていることを特徴とする記録装置。
【発明の詳細な説明】
【技術分野】
【０００１】
本発明は、記録装置に関する。
【背景技術】
【０００２】
従来から、記録装置の一例として、メディアの一例である記録用紙に液体の一例であるインクを吐出するとともに、メディアに付着したインクを加熱して乾燥することで、記録用紙にインクを定着させるものがある。インクを加熱して乾燥する手段として、メディアと対向するように配置された赤外線ヒーターを用いることができる。この場合、メディアの表面温度が所望の温度となるように、赤外線ヒーターを制御するため、赤外線を非接触で検出する検出部の一例である赤外線センサーが用いられる。
【０００３】
そして、記録装置は、赤外線センサーによってメディアの表面温度を測定することで、メディアの表面温度が所望の温度になっているかを判別する。仮に、メディアの表面温度が所望の温度になっていない場合には、メディアの表面温度が所望の温度となるように、赤外線ヒーターの出力などが制御される。これにより、インクの定着が効率的に行われる。
【０００４】
例えば、特許文献１に開示された記録装置では、記録ヘッドによってメディアに対する記録が行われた後に、１次ヒーターから赤外線が照射されることで、メディアが加熱される。そして、加熱されたメディアの表面温度は、１次温度センサーによって非接触で測定される。
【先行技術文献】
【特許文献】
【０００５】
【特許文献１】特開２０１５−１７８２６１号公報
【発明の概要】
【発明が解決しようとする課題】
【０００６】
しかしながら、特許文献１に開示された記録装置において、１次ヒーター及び１次温度センサーは、何れもメディアにおいて液体が吐出される側に設けられている。このため、特許文献１に開示された記録装置では、メディアによって反射された赤外線などが１次温度センサーに入射するため、メディアの表面温度を測定するときのノイズとなる。その結果、１次温度センサーを用いてメディアの表面温度を測定するときの誤差が大きくなる虞がある。
【０００７】
本発明の目的は、メディアの表面温度を測定するときの誤差を小さくできる記録装置を提供することである。
【課題を解決するための手段】
【０００８】
以下、上記課題を解決するための手段及びその作用効果について記載する。
上記課題を解決する記録装置は、メディアの第１面に液体を吐出する記録ヘッドと、前記メディアの前記第１面とは反対側の第２面を支持する支持面を有する支持部と、前記支持面に向けて第１赤外線を照射する照射部と、前記メディア又は前記支持部から放射される第２赤外線を非接触で検出する検出部と、を備え、前記検出部は、前記支持面と交差する方向において、前記支持面を挟んで前記照射部とは反対側に配置されていることを要旨とする。
【０００９】
この構成によれば、赤外線を非接触で検出する検出部は、メディアの第２面を支持する支持面と交差する方向において、支持面を挟んで照射部とは反対側に配置されている。メディアが支持部によって支持されている場合、照射部が照射する第１赤外線は、メディア及び支持部のうち少なくともメディアによって遮蔽される。また、照射部がメディアに照射する第１赤外線の一部は、メディアによって正反射され、メディアから照射部側に出射される。
【００１０】
このため、照射部から照射される第１赤外線が検出部に直接的に入射すること、及びメディアによって正反射された第１赤外線が検出部に入射することを抑制することができる。即ち、第２赤外線を検出するに際してノイズの原因となる第１赤外線が検出部に入射することが抑制される。よって、上記記録装置は、メディアの表面温度を測定するときの誤差を小さくすることができる。
【００１１】
上記記録装置において、前記支持面を有する前記支持部と、前記支持面と交差する方向に沿って延びる面を有する１又は複数の側面部と、を含んで構成された箱部を備え、前記検出部は、前記箱部に収納されていることが好ましい。
【００１２】
赤外線を検出する検出部において、赤外線の検出結果は、周囲温度に応じて変化する。これに対して、上記構成によれば、検出部は、箱部が有する支持面及び支持面と交差する方向に沿って延びる面によって囲まれている。このため、検出部の周囲温度が変動することを抑制することができる。したがって、メディアの表面温度を測定するときの誤差をさらに小さくすることができる。
【００１３】
上記記録装置において、前記支持面には、開口が形成され、前記検出部は、前記開口を通じて前記第２赤外線を検出することが好ましい。
この構成によれば、メディアの熱容量と支持部の熱容量とが同じでなかったとしても、支持面に形成された開口を通じて、第２赤外線を検出することで、メディアの表面温度を直接的に測定することができる。
【００１４】
上記記録装置において、前記検出部は、前記開口を通じた前記第１赤外線の入射範囲の外に配置されていることが好ましい。
この構成によれば、支持部がメディアを支持していないときであっても、照射部から照射される第１赤外線が検出部に直接的に入射することを抑制することができる。
【図面の簡単な説明】
【００１５】
【図１】印刷装置を模式的に示す側面図。
【図２】図４に示す２−２線矢視断面図。
【図３】図４に示す３−３線矢視断面図。
【図４】図１に示す４−４線矢視断面図。
【図５】印刷装置の電気的構成を示すブロック図。
【図６】第１変更例の印刷装置を模式的に示す側面図。
【図７】第１変更例の搬送ベルト機構を模式的に示す平面図。
【発明を実施するための形態】
【００１６】
以下、記録装置の一実施形態について説明する。
図１に示すように、記録装置の一例である印刷装置１１は、メディア９０を支持可能な支持部１２と、メディア９０を支持部１２に沿って搬送する搬送部１３と、メディア９０に印刷を行う印刷部１４と、印刷済みのメディア９０を加熱する加熱装置１５と、を備える。
【００１７】
印刷装置１１は、例えば、液体の一例であるインクを付着させることによってメディア９０に文字及び写真などの画像を印刷するインクジェット式のプリンターである。メディア９０は、連続紙など長尺状のものである。
【００１８】
支持部１２は、第１支持板１６、第２支持板１７、及び第３支持板１８を備える。各支持板１６，１７，１８は、搬送部１３により搬送されるメディア９０を支持するための支持面１９，２０，２１をそれぞれ有し、メディア９０の搬送方向において、上流側から順に第１支持板１６、第２支持板１７、第３支持板１８の順に並んで配置されている。各支持板１６，１７，１８のうち、第２支持板１７は、印刷部１４と対向するように位置し、第３支持板１８は、加熱装置１５と対向するように位置する。
【００１９】
各支持板１６，１７，１８のうち、少なくとも第３支持板１８は、鉄、ステンレス、及びアルミニウムなどの金属製部品、赤外線非透過性を有する樹脂製部品、又はこれらの組み合わせから構成されている。
【００２０】
以下の説明において、支持面２１上を通過する際のメディア９０の搬送方向をＹ方向としたときに、支持面２１に沿った方向であって、且つＹ方向と直交する方向をＸ方向とし、Ｙ方向及びＸ方向と直交する方向をＺ方向として説明する。また、支持面２１を含み、支持面２１に沿って延びる平面を仮想平面９３として説明する。本実施形態では、支持面２１は水平に対して傾斜している面であり、Ｙ方向は水平に対して交差する方向である。また、Ｚ方向は支持面２１に対して直交する方向であり、仮想平面９３と直交する方向である。
【００２１】
搬送部１３は、メディア９０の搬送方向において、第１支持板１６よりも上流側に位置する第１回転軸２２と、第３支持板１８よりも下流側に位置する第２回転軸２３と、を備える。第１回転軸２２は、印刷前のメディア９０をロール状に巻き重ねて形成したロール体Ｒ１を回転可能に支持する。第２回転軸２３は、印刷済みのメディア９０をロール状に巻き取って形成したロール体Ｒ２を回転可能に支持する。
【００２２】
第１支持板１６と第２支持板１７との間、及び第２支持板１７と第３支持板１８との間には、メディア９０に接した状態で回転することによってメディア９０を搬送する搬送ローラー２４が配置されている。
【００２３】
印刷部１４は、液体を吐出する記録ヘッド２５と、記録ヘッド２５を保持するキャリッジ２６と、キャリッジ２６の移動を案内するガイド軸２７と、を備える。記録ヘッド２５は、第２支持板１７と対向可能に配置され、第２支持板１７に支持されるメディア９０に液体を吐出可能である。
【００２４】
すなわち、記録ヘッド２５は、Ｘ方向に延びるガイド軸２７に沿って、キャリッジ２６とともに往復移動しながら液体を吐出可能である。そして、印刷部１４は、記録ヘッド２５から吐出した液体をメディア９０に付着させることによって、メディア９０に文字及び図形などの画像を印刷する。なお、記録ヘッド２５は、Ｘ方向に沿うように、メディア９０の全幅にわたって延びるラインヘッドであってもよい。
【００２５】
メディア９０の表裏両面のうち、記録ヘッド２５から吐出された液体が付着する面は、第１面の一例である処理面９１である。処理面９１は、メディア９０の表裏両面のうち、第２支持板１７の支持面２０にメディア９０が支持されたときに記録ヘッド２５に向かい合う面である。メディア９０の表裏両面のうち、処理面９１とは反対側の面は、第２面の一例である被支持面９２である。被支持面９２は、支持板１６，１７，１８の支持面１９，２０，２１によって支持される面である。
【００２６】
加熱装置１５は、印刷部１４によって画像を印刷され、搬送部１３によって搬送されるメディア９０を加熱する。加熱装置１５は、第３支持板１８に支持されるメディア９０の処理面９１を加熱し、加熱によりメディア９０に付着している液体の溶媒成分を蒸発させることによって、メディア９０を乾燥させる。
【００２７】
加熱装置１５は、第３支持板１８の支持面２１に対向するように配置されている。加熱装置１５は、支持面２１に対して間隔をあけて配置されている。支持面２１と、加熱装置１５との間には、搬送部１３により搬送されるメディア９０が通過する加熱領域３０が区画されている。
【００２８】
以下、加熱装置１５について詳細に説明する。
図２及び図３に示すように、加熱装置１５は、メディア９０を加熱するための加熱部４１と、加熱部４１を収容する筐体４２と、気体を送風するための送風機構４３と、を備える。加熱部４１は、第３支持板１８の支持面２１に支持されたメディア９０を加熱する。加熱部４１は、支持面２１と対向する位置に配置される。
【００２９】
加熱部４１は、支持面２１に向けて赤外線を照射する照射部の一例であるヒーター管４５を備える。本実施形態のヒーター管４５は、Ｙ方向に２つ並んで配置されている。本実施形態のヒーター管４５は、Ｘ方向に沿って延びる。ヒーター管４５は、メディア９０が第３支持板１８に支持されているとき、メディア９０の処理面９１に対向する。
【００３０】
加熱部４１は、ヒーター管４５が放射する赤外線を反射する反射板４６を備える。反射板４６は、ヒーター管４５のうち、第３支持板１８の支持面２１とは反対側の部分を囲うように配置されている。反射板４６は、第３支持板１８の支持面２１から離間する方向に凸となり湾曲することで、ヒーター管４５が照射する赤外線を、第３支持板１８の支持面２１に向けて反射する。
【００３１】
したがって、図中にドット状のハッチングパターンで範囲を示すように、支持面２１及びメディア９０には、加熱領域３０を含めて、加熱部４１と向かい合う領域の全体にわたって、赤外線が入射する。また、加熱部４１は、仮想平面９３に向かって赤外線を照射するともいえる。
【００３２】
以下、ヒーター管４５から支持面２１又はメディア９０に直接的に入射する赤外線、反射板４６に反射されて支持面２１又はメディア９０に入射する赤外線、及び、支持面２１又はメディア９０で反射された赤外線を、第１赤外線９５として説明する。また、第３支持板１８及びメディア９０から放射される赤外線を、第２赤外線９６として説明する。
【００３３】
筐体４２は、加熱部４１を囲む内壁５１と、内壁５１を囲む外壁５２と、を備える。外壁５２は内壁５１の外側に配置される。内壁５１と外壁５２との間には気体の流れる流路４４が区画されている。筐体４２は、流路４４を備えているといえる。流路４４は、その両端が支持面２１に向けて開口している。
【００３４】
流路４４は、加熱部４１を囲むように区画されている。流路４４は、流路４４に気体を流入させるための流入口５３と、流路４４から気体を吹き出すための吹出口５４と、を備える。流入口５３及び吹出口５４は、加熱領域３０に対して開口している。これにより、気体の流路４４と、メディア９０を加熱するための加熱領域３０とは連通している。流入口５３は、搬送方向において加熱部４１よりも下流側に位置する。吹出口５４は、搬送方向において加熱部４１よりも上流側に位置する。
【００３５】
送風機構４３は、流路４４に配置されている。送風機構４３は、流路４４内の気体を吹出口５４に向けて流動させる。また、送風機構４３が流路４４内の気体を流動させることにより、流入口５３から流路４４に気体が流入する。例えば、流路４４内の気体は、空気である。送風機構４３は、ファンを回転させるものであってもよいし、ポンプであってもよい。送風機構４３は、Ｘ方向に沿って配列された複数のファンなどを含んだ構成であってもよい。
【００３６】
吹出口５４から吹き出された気体は、支持面２１に支持されたメディア９０に吹き付けられた後、矢印Ａで示すように、処理面９１に沿って搬送方向に流れる。吹出口５４から吹き出され、処理面９１に沿って流れる気体は、一部が矢印Ｂに示すように流入口５３に流入される。即ち、気体の一部は、流路４４及び加熱領域３０を循環する。流路４４及び加熱領域３０は、気体の循環路５５を構成している。吹出口５４から吹き出され、処理面９１に沿って流れた気体の一部は、矢印Ｃに示すように、流入口５３と支持面２１との間から循環路５５の外部に排出される。
【００３７】
循環路５５を循環する気体は、加熱部４１により加熱されている。加熱部４１を囲むように流路４４が位置するため、加熱部４１によって生じる熱により、流路４４内の温度が高くなる。即ち、循環する気体が流路４４内を通過することで、加熱部４１によって生じる熱を回収し、循環する気体が温められて乾燥に再利用することができる。
【００３８】
加熱部４１がメディア９０を加熱すると、メディア９０に付着した液体のうち、主に溶媒成分が蒸発することによって蒸気が生じる。この蒸気によって循環路５５の湿度が上昇すると、メディア９０が乾燥しにくくなる。加熱装置１５は、吹出口５４から吹き出す気体の一部とともに蒸気を流入口５３と支持面２１との間から循環路５５外に排出させる。これにより、循環路５５における湿度の上昇が抑制される。
【００３９】
加熱装置１５は、支持面２１に支持されるメディア９０を加熱しつつ、メディア９０に気体を吹き付けることによって、メディア９０を乾燥させる。即ち、印刷済みのメディア９０が支持部１２に沿って搬送され、加熱装置１５と支持面２１との間の加熱領域３０に到達すると、ヒーター管４５が発生させる熱と、吹出口５４から吹き出す気体とによって、そのメディア９０に付着した液体のうち溶媒成分の蒸発が促進される。加熱装置１５は、ヒーター管４５からの赤外線と、送風機構４３による気体の送風とで、処理面９１を乾燥させているといえる。
【００４０】
図２〜図４に示すように、印刷装置１１は、赤外線を非接触で検出する検出部の一例である赤外線センサー５６を備える。本実施形態の赤外線センサー５６は、支持部１２又はメディア９０から放射される第２赤外線９６を非接触で検出可能となるように構成されている。以下、赤外線センサー５６と、赤外線センサー５６に関連した構成について、詳細に説明する。
【００４１】
図２及び図３に示すように、第３支持板１８には、第３支持板１８をＺ方向に貫通する開口５７が形成されている。開口５７は、Ｚ方向において、第３支持板１８を挟んで加熱部４１側の空間と、反対側の空間とを連通している。このように、支持面２１には、開口５７が形成されている。Ｚ方向から見たときに、開口５７の中心は、ヒーター管４５の中心を通過し、且つＺ方向に沿って延びる平面上にあるか、又はこの平面よりも搬送方向において下流側にある。即ち、開口５７の中心は、ヒーター管４５の中心を通過し支持面２１と直交する平面よりも搬送方向において下流側、又は重なる位置にある。
【００４２】
図４に示すように、開口５７は、Ｘ方向における第３支持板１８の中央に形成されている。開口５７は、Ｚ方向から見たときに、四角形である。即ち、開口５７は、Ｚ方向から見たときに、所定の開口面積を有する。なお、Ｚ方向から見たときの開口５７の形状は、円形及び楕円形など、四角形とは異なる形状であってもよい。
【００４３】
図２及び図３に示すように、印刷装置１１は、赤外線センサー５６を収納している箱部６０を備える。箱部６０は、四角箱状の部分であって、且つ搬送方向に向かって開口する検出口６１を有する。箱部６０は、支持面２１を有する第３支持板１８と、Ｚ方向に沿って延びる側面部の一例である側板６２と、側板６２に繋がる底板６３と、を含んで構成されている。
【００４４】
側板６２は、支持面２１及び仮想平面９３と交差する方向に沿って延びる面の一例である側面６４を備える。Ｚ方向から見たときに、側板６２は、Ｘ方向に並び、且つ相互に平行に配置された一対の側板と、この一対の側板を繋ぐ側板と、からなる。即ち、側板６２は、３つの側面６４を備える。このように、側板６２は、複数の側面を備える。また、側板６２は、Ｚ方向から見たときに、円弧状である１つの側板からなる構成であってもよい。即ち、側板６２は、１つの側面６４を備えてもよい。
【００４５】
箱部６０は、支持面２１及び仮想平面９３を挟んで加熱部４１とは反対側に位置する。箱部６０は、Ｚ方向から見たときに、搬送方向における上流側において、開口５７と隣り合うように配置されている。箱部６０は、赤外線センサー５６を収納するための収納空間６５を区画している。
【００４６】
また、箱部６０の検出口６１は、第３支持板１８を挟んで加熱部４１とは反対側の空間に開口する。箱部６０の検出口６１は、開口５７のうち、加熱部４１とは反対側の縁部と隣り合うように開口している。即ち、検出口６１は、支持面２１及び仮想平面９３を挟んで加熱部４１とは反対側の空間において、開口５７の近傍に開口している。
【００４７】
図３に示すように、赤外線センサー５６は、所定の面積を有する受光窓５８と、図示しない受光素子と、を備える。図中に密度の高いハッチングパターンで範囲を示すように、赤外線センサー５６の検出範囲５９は、受光素子の中心点における法線を中心とし、図３に示す視野角ｄ１の範囲である。視野角ｄ１の範囲内で受光窓５８に入射する赤外線は、図示しない受光素子に到達する。受光窓５８に入射する赤外線であっても、視野角ｄ１の範囲外である角度にて入射する赤外線は、図示しない受光素子に到達しない。即ち、赤外線センサー５６は、視野角ｄ１の範囲内において受光窓５８に入射する赤外線を検出できる。
【００４８】
赤外線センサー５６は、箱部６０の収納空間６５内に支持されている。即ち、赤外線センサー５６は、支持面２１及び仮想平面９３と交差する方向において、支持面２１及び仮想平面９３を挟んで加熱部４１とは反対側に配置されている。つまり、印刷装置１１において、赤外線センサー５６の中心とヒーター管４５の中心とを結ぶ仮想線９４は、仮想平面９３のうちＺ方向から見たときにメディア９０と重なり得る領域と、支持面２１と、の少なくとも一方と交差する。なお、「支持面２１及び仮想平面９３を挟んで加熱部４１とは反対側に配置されている」とは、仮想線９４が、仮想平面９３のうちＺ方向から見たときにメディア９０と重なり得る領域と、支持面２１と、の少なくとも一方と交差することに限定されない。即ち、Ｚ方向から見て仮想線９４が支持面２１と交差しない（少なくとも仮想線９４が通る直線上に支持面２１が存在しない）場合であっても、Ｘ方向から見た側面視において、支持面２１が加熱部４１と赤外線センサー５６とで挟まれるものを含む概念である。
【００４９】
赤外線センサー５６の検出範囲５９は、仮想平面９３と交差する方向であって、搬送方向における下流側に向かう方向に沿って延びる。赤外線センサー５６の検出範囲５９は、開口５７を通過するように延びる。
【００５０】
図２に示すように、加熱装置１５がメディア９０を乾燥しているとき、メディア９０は、第３支持板１８の支持面２１によって支持される。この状態において、メディア９０は、仮想平面９３に沿って延びる。このため、加熱部４１側から見たときに、開口５７は、メディア９０によって覆われる。即ち、加熱部４１とは反対側から見たときに、開口５７において、メディア９０の被支持面９２が露出する。
【００５１】
このため、メディア９０の被支持面９２のうち、開口５７において露出する部分は、赤外線センサー５６の検出範囲５９内に位置する。したがって、加熱装置１５がメディア９０を乾燥しているとき、赤外線センサー５６は、メディア９０の被支持面９２から放射される第２赤外線９６を検出可能である。即ち、赤外線センサー５６は、開口５７を通じて第２赤外線９６を検出する。
【００５２】
次に、印刷装置１１の電気的な構成について説明する。
図１及び図５に示すように、印刷装置１１は、制御部７０を備える。制御部７０は、ＣＰＵ７１と、ＲＡＭ及びＲＯＭなどを含む記憶部７２と、を備える。記憶部７２には、印刷装置１１を制御するための種々のプログラムが記憶されている。制御部７０は、各種処理のうち少なくとも一部の処理を実行する専用のハードウェア（特定用途向け集積回路：ＡＳＩＣ）を備えた構成であってもよい。即ち、制御部７０は、コンピュータープログラム（ソフトウェア）に従って動作する１つ以上のプロセッサ、ＡＳＩＣなどの１つ以上の専用のハードウェア、又はそれらの組み合わせを含んだ構成であってもよい。プロセッサは、ＣＰＵ、並びに、ＲＡＭ及びＲＯＭなどのメモリーを含む。メモリーは、処理をＣＰＵに実行させるように構成されたプログラムコード、又は指令を格納している。コンピューター可読媒体の一例であるメモリーは、汎用または専用のコンピューターでアクセスできるあらゆるものを含む。
【００５３】
加熱装置１５は、送風機構４３を駆動するモーター７６と、モーター７６を駆動するための駆動回路７５と、を備える。駆動回路７５は、モーター７６に加えられる電圧を制御することによって、送風機構４３の駆動量を制御する。駆動回路７５は、ＰＷＭ制御を行うことによって、送風機構４３の駆動量を制御可能であってもよい。即ち、駆動回路７５は、モーター７６の制御により送風機構４３の駆動量を制御可能であればよい。
【００５４】
制御部７０は、ヒーター管４５、駆動回路７５、搬送部１３、及び印刷部１４と電気的に接続されている。制御部７０は、ヒーター管４５、駆動回路７５、搬送部１３、及び印刷部１４を制御することで、印刷装置１１を動作させる。
【００５５】
制御部７０は、赤外線センサー５６と電気的に接続されている。制御部７０は、赤外線センサー５６が赤外線を検出して出力する検出信号を入力する。制御部７０は、赤外線センサー５６から入力する検出信号に基づいて、メディア９０の表面温度を監視できる。上述のように、制御部７０は、ヒーター管４５及び駆動回路７５を制御する。したがって、制御部７０及び赤外線センサー５６は、加熱装置１５の一部といえる。
【００５６】
制御部７０は、測定した被支持面９２の表面温度に基づいて、駆動回路７５を制御する。これにより、モーター７６に加えられる電圧は、被支持面９２の表面温度の測定結果に基づいて変化する。即ち、送風機構４３の駆動量は、被支持面９２の表面温度の測定結果に基づいて変更される。送風機構４３の駆動量が変化することによって、送風機構４３から送風される気体の風速が変化する。送風機構４３の駆動量が多いほど、気体の風速は速くなる。
【００５７】
以下、制御部７０が行う加熱装置１５の制御について説明する。
制御部７０は、ヒーター管４５の出力を制御する。制御部７０は、ヒーター管４５の出力を最大出力にて一定に保つ。ここでいう「一定」は、ヒーター管４５の発する温度に影響を与えない、又はヒーター管４５の発する温度に与える影響が無視できる程度の出力の変動を含む。即ち、メディア９０の乾燥に影響を与えない程度の出力の変動は、「一定」に含まれる。
【００５８】
制御部７０は、被支持面９２の表面温度の測定結果に基づいて送風機構４３の駆動量を変更することによって、加熱領域３０を流れる気体の風速を変化させる。なお、制御部７０は、被支持面９２の表面温度の測定結果に加えて、又は代えて、メディア９０の種類、及びメディア９０に吐出される液体の量のうち少なくとも一方に応じて、送風機構４３の駆動量を変更してもよい。
【００５９】
本実施形態の制御部７０は、被支持面９２の表面温度が規定温度を超えず、且つメディア９０に付着した液体を乾燥させるのに必要となる溶媒成分の蒸発量を確保できるように、送風機構４３の駆動量を制御する。ここでいう「規定温度」は、処理面９１の表面温度が許容温度を超えないように、シミュレーション及び実験の結果に基づいて決定される。また、ここでいう「許容温度」は、メディア９０及びメディア９０に付着した液体に過剰なダメージを与えないように、シミュレーション及び実験の結果に基づいて決定される。
【００６０】
処理面９１の表面温度は、送風機構４３から送風される気体の風速を速くすることによって低下する。処理面９１の表面温度は、送風機構４３から送風される気体の風速を遅くすることによって上昇する。これは、風速が速くなるほどヒーター管４５から奪われる熱量が増加するとともに、循環路５５を循環する気体の換気率が上昇することによって、循環路５５を循環する気体の温度が低下することに起因する。
【００６１】
次に、印刷装置１１の作用について説明する。
本実施形態の制御部７０は、赤外線センサー５６による第２赤外線９６の検出結果に基づいて、メディア９０の表裏両面のうち、被支持面９２の表面温度を測定する。そして、制御部７０は、処理面９１の表面温度が許容温度を超えないように、被支持面９２の表面温度の測定結果に基づいて、送風機構４３の駆動量を変更する。
【００６２】
仮に、第１赤外線９５が赤外線センサー５６に入射する場合、その第１赤外線９５は、メディア９０の表面から放射される第２赤外線９６を検出するときのノイズの原因となる。即ち、第１赤外線９５が赤外線センサー５６に入射する場合には、メディア９０の表面温度の測定が不正確になるという問題がある。上述のように、第１赤外線９５としては、ヒーター管４５から直接的に入射する赤外線、反射板４６に反射されて入射する赤外線、及び、支持面２１又はメディア９０に反射されて入射する赤外線が想定される。
【００６３】
被支持面９２の表面温度の測定結果が不正確である場合、制御部７０は、その不正確な表面温度の測定結果に基づいて、送風機構４３の駆動量を制御することになる。例えば、制御部７０は、実際の被支持面９２の表面温度が規定温度を超えていないにも関わらず、赤外線センサー５６による検出結果に基づいて、規定温度を超える温度を測定した場合、送風機構４３の駆動量を増加させる。この場合、加熱不足に起因して液体の溶媒成分を十分に蒸発させることができず、メディア９０に対する液体の定着が不完全になる虞がある。即ち、印刷装置１１による印刷品質が低下する原因になる。
【００６４】
これに対して、図２に示すように、本実施形態の印刷装置１１において、赤外線センサー５６は、支持面２１及び仮想平面９３と交差する方向において、支持面２１及び仮想平面９３を挟んでヒーター管４５とは反対側に配置されている。
【００６５】
加熱装置１５がメディア９０を乾燥しているとき、メディア９０は、支持面２１によって支持される。メディア９０が支持面２１によって支持されている状態において、ヒーター管４５が照射する第１赤外線９５は、メディア９０及び支持面２１によって遮蔽される。また、ヒーター管４５がメディア９０に照射する第１赤外線９５の一部は、メディア９０及び支持面２１によって正反射され、メディア９０及び支持面２１からヒーター管４５側に出射される。このため、ヒーター管４５から照射される第１赤外線９５が赤外線センサー５６に直接的に入射することが抑制される。また、メディア９０及び支持面２１によって正反射された第１赤外線９５が赤外線センサー５６に入射することが抑制される。
【００６６】
図３に示すように、加熱装置１５がメディア９０を乾燥していないとき、加熱領域３０には、メディア９０が存在しない。メディア９０が支持面２１によって支持されていない状態において、反射板４６によって反射された第１赤外線９５は、開口５７によって規制された第１入射範囲９７において、支持面２１及び仮想平面９３よりも赤外線センサー５６側に入射する。また、ヒーター管４５から照射される第１赤外線９５は、開口５７によって規制された第２入射範囲９８において、支持面２１及び仮想平面９３よりも赤外線センサー５６側に入射する。第１入射範囲９７及び第２入射範囲９８は、入射範囲の一例である。
【００６７】
これに対して、本実施形態の印刷装置１１において、赤外線センサー５６は、開口５７を通じた第１赤外線９５の第１入射範囲９７及び第２入射範囲９８の外に配置されている。つまり、赤外線センサー５６は、第３支持板１８を挟んでヒーター管４５とは反対側に配置されている。このため、第１赤外線９５は、第３支持板１８によって遮蔽される。したがって、メディア９０が支持面２１によって支持されていない状態であっても、第１赤外線９５が赤外線センサー５６に入射することが抑制される。
【００６８】
なお、ヒーター管４５が照射する第１赤外線９５の一部は、メディア９０の種類によっては、メディア９０を透過することも考えられる。つまり、メディア９０が支持面２１によって支持されている場合であっても、第１赤外線９５は、メディア９０を透過し、第１入射範囲９７及び第２入射範囲９８において、支持面２１及び仮想平面９３よりも赤外線センサー５６側に入射する可能性がある。
【００６９】
これに対して、本実施形態の赤外線センサー５６は、第１入射範囲９７及び第２入射範囲９８の外に配置されている。したがって、仮に、第１赤外線９５がメディア９０を透過したとしても、メディア９０を透過した第１赤外線９５が赤外線センサー５６に入射することを抑制することができる。
【００７０】
一般的に、赤外線センサー５６は、周囲温度が変化すると、赤外線の検出結果が変化する。このため、赤外線センサー５６の周囲温度は、一定であることが好ましい。本実施形態の赤外線センサー５６は、箱部６０に収納されている。このため、赤外線センサー５６の周囲温度が変化することを抑制することができる。即ち、赤外線センサー５６による赤外線の検出精度の低下を抑制することができる。
【００７１】
本実施形態によれば、以下に示す効果を得ることができる。
（１）赤外線センサー５６は、支持面２１と交差する方向において、支持面２１を挟んでヒーター管４５とは反対側に配置されている。このため、第２赤外線９６を検出するに際してノイズの原因となる第１赤外線９５が赤外線センサー５６に入射することが抑制される。よって、印刷装置１１は、メディア９０の表面温度を測定するときの誤差を小さくすることができる。
【００７２】
（２）赤外線センサー５６は、仮想平面９３と交差する方向において、仮想平面９３を挟んでヒーター管４５とは反対側に配置されている。このため、第２赤外線９６を検出するに際してノイズの原因となる第１赤外線９５が赤外線センサー５６に入射することが抑制される。
【００７３】
（３）赤外線センサー５６は、箱部６０に収納されている。このため、赤外線センサー５６の周囲温度が変動することを抑制することができる。よって、印刷装置１１は、メディア９０の表面温度を測定するときの誤差を、さらに小さくすることができる。
【００７４】
（４）赤外線センサー５６は、開口５７を通じて第２赤外線９６を検出する。このため、メディア９０の熱容量と、第３支持板１８の熱容量とが同じでなかったとしても、開口５７を通じて第２赤外線９６を検出することで、メディア９０の表面温度を直接的に測定することができる。
【００７５】
（５）赤外線センサー５６は、開口５７を通じた第１赤外線９５の第１入射範囲９７及び第２入射範囲９８の外に配置されている。このため、第３支持板１８がメディア９０を支持していないときであっても、ヒーター管４５から照射される第１赤外線９５が赤外線センサー５６に直接的に入射することを抑制することができる。
【００７６】
（６）赤外線センサー５６は、箱部６０に収納されている。よって、開口５７などから落下する異物が赤外線センサー５６に付着することを抑制することができる。
（７）赤外線センサー５６は、循環路５５の外に配置されている。このため、送風機構４３から送風される気体は、赤外線センサー５６に直接的に接触しない。したがって、循環路５５を循環する気体の温度の影響を受けることによって、赤外線センサー５６による赤外線の検出精度が低下することを抑制できる。
【００７７】
本実施形態は、以下に示す変更例のように変更してもよい。また、本実施形態に含まれる構成と以下の変更例に含まれる構成とを任意に組み合わせてもよいし、以下の変更例に含まれる構成同士を任意に組み合わせてもよい。なお、以下の説明において、既出の構成要素と同様の機能を有するものには同じ符号を付して、重複する説明を省略する。
【００７８】
・図６及び図７に示す第１変更例に係る印刷装置１１Ａのように、第３支持板１８に代えて、搬送ベルト機構１００を備えてもよい。搬送ベルト機構１００は、Ｘ方向に延びる２つのプーリー１０１と、２つのプーリー１０１に懸け渡された２つの搬送ベルト１０２と、を備える。
【００７９】
２つの搬送ベルト１０２は、Ｘ方向において、相互に離間して配置されている。各搬送ベルト１０２のうち、加熱装置１５と対向する部分は、メディア９０の被支持面９２を支持する支持面２１Ａとなる。また、Ｚ方向から見たときに、２つの搬送ベルト１０２及び２つのプーリー１０１で囲われた部分は、開口５７Ａとなる。
【００８０】
第１変更例において、加熱装置１５がメディア９０を乾燥しているとき、メディア９０は、各搬送ベルト１０２によって支持される。そして、第１変更例において、赤外線センサー５６及び箱部６０は、仮想平面９３のうち、Ｚ方向から見たときに２つの搬送ベルト１０２の間に位置する領域を挟んで、ヒーター管４５とは反対側に配置されている。即ち、印刷装置１１Ａにおいて、赤外線センサー５６の中心とヒーター管４５の中心とを結ぶ仮想線９４は、仮想平面９３のうち、Ｚ方向から見たときにメディア９０と重なる領域と交差する一方で、支持面２１Ａとは交差しない。
【００８１】
第１変更例の構成によれば、メディア９０が各搬送ベルト１０２によって支持されている場合、ヒーター管４５が照射する第１赤外線９５は、メディア９０によって遮蔽される。また、ヒーター管４５がメディア９０に照射する第１赤外線９５の一部は、メディア９０によって正反射され、メディア９０からヒーター管４５側に出射される。このため、第１変更例においても、第２赤外線９６を検出するに際してノイズの原因となる第１赤外線９５が赤外線センサー５６に入射することを抑制することができる。そして、赤外線センサー５６は、開口５７Ａを通じて第２赤外線９６を検出する。
【００８２】
・第１変更例において、箱部６０は、第３支持板１８に代えて、赤外線センサー５６とヒーター管４５との間に挟まれる天板６６を備える。天板６６は、Ｚ方向から見たときに、赤外線センサー５６の全体を覆っている。したがって、第１変更例においても、赤外線センサー５６は、第１赤外線９５の入射範囲の外に配置されているといえる。
【００８３】
・第１変更例において、搬送ベルト機構１００は、１つの搬送ベルト１０２を備えてもよく、３つ以上の搬送ベルト１０２を備えてもよい。
・本実施形態の印刷装置１１において、赤外線センサー５６及びヒーター管４５は、仮想線９４が支持面２１と交差する一方で、仮想線９４が仮想平面９３のうち、Ｚ方向から見たときにメディア９０と重なり得る領域と交差しないように配置されていてもよい。
【００８４】
・本実施形態の印刷装置１１又は第１変更例の印刷装置１１Ａは、第３支持板１８及び搬送ベルト機構１００を備えてもよい。例えば、本実施形態において、印刷装置１１は、２つの搬送ベルト１０２の間に支持された第３支持板１８を備えた構成であってもよい。
【００８５】
・本実施形態において、印刷装置１１は、各支持板１６，１７，１８のうち、任意に選択できる１つ又は複数の支持板を、第１変更例の搬送ベルト機構１００に置き換えた構成であってもよい。
【００８６】
・本実施形態において、第３支持板１８は、それぞれ支持面２１を有する複数の部品を含んだ構成であってもよい。
・本実施形態の支持面２１又は第１変更例の支持面２１Ａは、構造物を備えない平滑面であることに限らない。支持面２１又は支持面２１Ａは、搬送方向又はＸ方向に沿って延びる複数の凸部を備えた構成であってもよい。
【００８７】
・本実施形態の印刷装置１１又は第１変更例の印刷装置１１Ａは、ヒーター管４５を備えることに限らない。印刷装置１１又は印刷装置１１Ａは、パネル型又は球型の照射部を備えてもよい。
【００８８】
・本実施形態の印刷装置１１又は第１変更例の印刷装置１１Ａは、箱部６０の検出口６１を覆う赤外線透過部材を備えてもよい。赤外線透過部材は、所定の厚みを有する板状であってもよく、薄膜状であってもよい。
【００８９】
・本実施形態の印刷装置１１又は第１変更例の印刷装置１１Ａは、箱部６０を備えなくてもよい。
・赤外線センサー５６の位置は、支持面２１及び仮想平面９３の少なくとも一方を挟んでヒーター管４５とは反対側に配置されておればよく、任意の位置に変更してもよい。
【００９０】
・赤外線センサー５６は、開口５７又は開口５７Ａを通じて被支持面９２から放射される第２赤外線９６を入射可能であれば、検出範囲５９の向きを任意の方向に変更してもよい。例えば、検出範囲５９を搬送方向における上流側に向ける場合には、Ｚ方向から見たときに、開口５７の中心は、ヒーター管４５の中心を通過し、且つＺ方向に沿って延びる平面上にあるか、又はこの平面よりも上流側にあるとよい。
【００９１】
・本実施形態の赤外線センサー５６は、メディア９０が支持面２１によって支持されていない状態において、何も無い空間に向かって検出範囲５９が延びるように支持されていてもよい。同様に、第１変更例の赤外線センサー５６は、メディア９０が支持面２１Ａによって支持されていない状態において、何も無い空間に向かって検出範囲５９が延びるように支持されていてもよい。この場合、制御部７０は、赤外線センサー５６の検出結果に基づいて、メディア９０が加熱領域３０にあるか否かを判定可能な構成であってもよい。本変更例によれば、メディア９０が加熱領域３０にあるか否かを検出するためのセンサーと、メディア９０の表面温度を測定するためのセンサーと、を共通化できる。
【００９２】
・本実施形態の印刷装置１１は、開口５７を備えなくてもよい。また、第１変更例の印刷装置１１Ａは、開口５７Ａを備えなくてもよい。本変更例において、赤外線センサー５６は、第３支持板１８又は搬送ベルト１０２から放射される第２赤外線９６を入射できるように配置されるとよい。
【００９３】
・本実施形態の印刷装置１１又は第１変更例の印刷装置１１Ａは、複数の赤外線センサー５６を備えた構成であってもよい。この場合、開口５７又は開口５７Ａは、赤外線センサー５６ごとに形成されてもよく、複数の赤外線センサー５６で兼用化されてもよい。
【００９４】
・本実施形態又は第１変更例において、制御部７０は、測定した被支持面９２の表面温度に基づいて、ヒーター管４５の出力、及び送風機構４３から送風される気体の風速のうち、少なくとも一方を制御することによって、処理面９１の表面温度を制御するとよい。
【００９５】
制御部７０は、送風機構４３から送風される気体の風速を一定に制御する一方で、測定した被支持面９２の表面温度に基づいて、ヒーター管４５の出力を変化させてもよい。また、制御部７０は、測定した被支持面９２の表面温度に基づいて、ヒーター管４５の出力、及び送風機構４３から送風される気体の風速の両方を変化させてもよい。
【００９６】
・本実施形態又は第１変更例において、制御部７０は、メディア９０に吐出される液体の量、メディア９０の種類のうち少なくとも一方に応じてヒーター管４５の出力を変化させてもよい。
【００９７】
・本実施形態又は第１変更例において、流入口５３は、処理面９１に対向可能な位置に開口していなくてもよい。例えば、流入口５３は、加熱領域３０の外部から気体を取り入れるように開口していてもよい。この場合、送風機構４３によって送風される気体は、循環しなくてもよい。
【００９８】
・本実施形態又は第１変更例において、送風機構４３は、流路４４を介することなく処理面９１に気体を送風してもよい。例えば、送風機構４３を処理面９１に向かい合うように配置して、送風機構４３が駆動すると、気体が処理面９１に送風されるようにしてもよい。この場合、筐体４２は、流路４４を有していなくてもよい。
【００９９】
・本実施形態又は第１変更例において、加熱装置１５を制御する制御部と、印刷部１４や搬送部１３を制御する制御部とを個別に設けてもよい。
・本実施形態において、加熱装置１５は、印刷装置１１に対して着脱可能な構成であってもよい。同様に、第１変更例において、加熱装置１５は、印刷装置１１Ａに対して着脱可能な構成であってもよい。
【０１００】
・本実施形態の印刷装置１１又は第１変更例の印刷装置１１Ａは、記録ヘッド２５から吐出した液体をメディア９０に付着させる場合に限らず、孔版に付着させた液体をメディア９０に転写させる場合など、他の印刷方法でメディア９０に記録を行うものであってもよい。
【０１０１】
・本実施形態の印刷装置１１又は第１変更例の印刷装置１１Ａは、ページ単位で印刷するページプリンターであってもよい。即ち、メディア９０は、長尺状のものに限定されず、短尺状のものであってもよい。
【０１０２】
・本実施形態又は第１変更例において、メディア９０は、記録用紙に限らず、樹脂製フィルム、テキスタイル、コート紙、及び壁紙などであってもよい。
・本実施形態又は第１変更例において、印刷部１４が吐出する液体はインクに限らず、例えば機能材料の粒子が液体に分散又は混合されてなる液状体などでもよい。例えば、印刷部１４が液晶ディスプレイ、ＥＬ（エレクトロルミネッセンス）ディスプレイ及び面発光ディスプレイの製造などに用いられる電極材または色材（画素材料）などの材料を分散または溶解のかたちで含む液状体を吐出してもよい。
【符号の説明】
【０１０３】
１１，１１Ａ…印刷装置、１２…支持部、１５…加熱装置、１８…第３支持板、２１，２１Ａ…支持面、２５…記録ヘッド、３０…加熱領域、４１…加熱部、４２…筐体、４３…送風機構、４４…流路、４５…ヒーター管、４６…反射板、５１…内壁、５２…外壁、５３…流入口、５４…吹出口、５５…循環路、５６…赤外線センサー、５７，５７Ａ…開口部、５９…検出範囲、６０…箱部、６１…検出口、６２…側板、６３…底板、６４…側面、９０…メディア、９１…処理面、９２…被支持面、９３…仮想平面、９４…仮想線、９５…第１赤外線、９６…第２赤外線、９７…第１入射範囲、９８…第２入射範囲。
【図１】
2019171716.tif 000003
【図２】
2019171716.tif 000004
【図３】
2019171716.tif 000005
【図４】
2019171716.tif 000006
【図５】
2019171716.tif 000007
【図６】
2019171716.tif 000008
【図７】
2019171716.tif 000009